(57)【要約】【課題】吸収コアとコアラップの接合力を維持しつつ、圧搾部を有する吸収体の柔軟性を向上させることができる吸収性物品を提供する。【解決手段】吸収性物品１０は、吸収コア４２と、吸収コア４２を包むコアラップ４４と、を有する吸収体４０と、少なくとも吸収体４０が厚み方向に圧縮された圧搾部４６と、を有する。コアラップ４４は、吸収コア４２よりも肌面側に配置される薄葉紙４４ａと、吸収コア４２を挟んで薄葉紙４４ａと反対側に設けられた不織布４４ｂと、を有する。不織布４４ｂを吸収コア４２に接着する第１接着剤４７の量は、薄葉紙４４ａを吸収コア４２に接着する第２接着剤４８の量よりも多い。【選択図】図２
2017012290.tif 000002
【特許請求の範囲】
【請求項１】
吸収コアと、前記吸収コアを包むコアラップと、を有する吸収体と、
少なくとも前記吸収体が厚み方向に圧縮された圧搾部と、を有し、
前記コアラップは、前記吸収コアよりも肌面側に配置される薄葉紙と、前記吸収コアを挟んで前記薄葉紙と反対側に設けられた不織布と、を有し、
前記不織布を前記吸収コアに接着する第１接着剤の量が、前記薄葉紙を前記吸収コアに接着する第２接着剤の量よりも多い、吸収性物品。
【請求項２】
前記第１接着剤の目付が前記第２接着剤の目付よりも大きい、請求項１に記載の吸収性物品。
【請求項３】
前記第２接着剤の塗布面積が、前記第１接着剤の塗布面積よりも小さい、請求項１又は２に記載の吸収性物品。
【請求項４】
複数の前記第２接着剤が一方向に沿って延びており、
前記薄葉紙と前記吸収コアとの間では、複数の前記第２接着剤が、前記一方向に直交する方向に、互いに間隔をあけて並んでいる、請求項１から３のいずれか１項に記載の吸収性物品。
【請求項５】
前記不織布は親水性を有する、請求項１から４のいずれか１項に記載の吸収性物品。
【請求項６】
前記不織布の端部は、肌面側に折り返されており、前記吸収コア及び前記薄葉紙の端部を覆っている、請求項１から５のいずれか１項に記載の吸収性物品。
【請求項７】
前記圧搾部は、前記吸収体の、前記薄葉紙側の面に形成されている、請求項１から６のいずれか１項に記載の吸収性物品。
【請求項８】
前記圧搾部は、前記吸収体の、前記薄葉紙側と前記不織布側の両面に形成されており、
前記薄葉紙側の面に形成された前記圧搾部の深さは、前記不織布側の面に形成された前記圧搾部の深さよりも深い、請求項１から７のいずれか１項に記載の吸収性物品。
【発明の詳細な説明】
【技術分野】
【０００１】
本発明は、股下域において線状又は破線に延びる圧搾部を備えた吸収性物品に関する。
【背景技術】
【０００２】
股下域において吸収体に圧搾部が形成された使い捨ておむつのような吸収性物品が知られている（特許文献１）。この吸収性物品は、液透過性の表面シートと、液不透過性の裏面シートと、吸収体と、を備える。吸収体は、表面シートと裏面シートとの間に設けられている。吸収体は、繊維及び高吸収性ポリマーを含む。吸収体は、粉砕パルプや高吸収性ポリマー等の吸収材料からなる吸収性コアと、吸収性コアを包むコアラップと、によって形成される。コアラップは、吸収コアよりも肌面側に配置された上層ティッシュと、吸収コアよりも非肌面側に配置された下層ティッシュと、を含む。吸収体には、吸収体を厚み方向に圧縮した圧搾部が複数形成されている。この圧搾部は、吸収性物品の前後方向及び横方向と交差する第１傾斜方向に延びる第１圧搾部と、第１傾斜方向、前後方向及び横方向と交差する第２傾斜方向に延びる第２圧搾部と、を有する。特許文献１に記載の吸収性物品では、第１圧搾部及び第２圧搾部によって、吸収コアを構成する吸収性高分子材料が偏りを防止している。
【先行技術文献】
【特許文献】
【０００３】
【特許文献１】特開２０１４−１００２６２号公報
【発明の概要】
【発明が解決しようとする課題】
【０００４】
特許文献１に記載の吸収性物品のように、吸収体に圧搾部が存在する場合、吸収性物品の剛性、すなわち硬さが増大する。吸収性物品の着用時の違和感を緩和するという観点では、吸収性物品の柔軟性を増大させることが望まれる。
【０００５】
圧搾部を吸収体に形成しないことによって吸収性物品の柔軟性を増大させることが考えられる。しかしながら、吸収体に形成された圧搾部は、吸収コアとコアラップとを接合する役割も担っている。そのため、圧搾部が吸収体に形成されていない場合、吸収コアとコアラップの接合力が低下する虞がある。
【０００６】
したがって、吸収コアとコアラップの接合力を維持しつつ、圧搾部を有する吸収体の柔軟性を向上させることができる吸収性物品を提供することが望まれる。
【課題を解決するための手段】
【０００７】
一態様に係る吸収性物品は、吸収コアと、前記吸収コアを包むコアラップと、を有する吸収体と、少なくとも前記吸収体が厚み方向に圧縮された圧搾部と、を有し、前記コアラップは、前記吸収コアよりも肌面側に配置される薄葉紙と、前記吸収コアを挟んで前記薄葉紙と反対側に設けられた不織布と、を有し、前記不織布を前記吸収コアに接着する第１接着剤の量が、前記薄葉紙を前記吸収コアに接着する第２接着剤の量よりも多い。
【発明の効果】
【０００８】
上記吸収性物品によれば、吸収コアとコアラップの接合力を維持しつつ、圧搾部を有する吸収体の柔軟性を向上させることができる。
【図面の簡単な説明】
【０００９】
【図１】図１は、一実施形態に係る吸収性物品の平面図である。
【図２】図２は、図１のＦ２−Ｆ２線に沿った吸収性物品の断面図である。
【図３】図３は、一実施形態に係る吸収体の平面図である。
【図４】図４は、不織布を吸収コアに接着する第１接着剤のパターンを示す模式的平面図である。
【図５】図５は、薄葉紙を吸収コアに接着する第２接着剤のパターンを示す模式的平面図である。
【発明を実施するための形態】
【００１０】
次に、一実施形態に係る吸収性物品について、図面を参照しながら説明する。なお、以下の図面の記載において、同一又は類似の部分には、同一又は類似の符号を付している。ただし、図面は模式的なものであり、各寸法の比率などは現実のものとは異なることがあることに留意すべきである。
【００１１】
したがって、具体的な寸法などは以下の説明を参酌して判断すべきである。また、図面相互間においても互いの寸法の関係や比率が異なる部分が含まれ得る。
【００１２】
（１）使い捨ておむつの全体概略構成
図１は、一実施形態に係る吸収性物品１０の平面図である。図２は、図１に示したＦ２−Ｆ２線に沿った吸収性物品１０の断面図である。本実施形態に係る吸収性物品１０は、使い捨ておむつである。
【００１３】
吸収性物品１０は、前胴回り域２０と、股下域２５と、後胴回り域３０と、を有する。前胴回り域２０は、着用者の腹側に配置される。また、後胴回り域３０は、着用者の背側に配置される。股下域２５は、前胴回り域２０と後胴回り域３０との間に位置する。股下域２５は、着用者の股下に配置される。
【００１４】
なお、本実施形態では、前胴回り域２０から後胴回り域３０に向かう方向を前後方向Ｌと呼ぶ。また、前後方向Ｌと直交する方向を横方向Ｗと呼ぶ。また、着用時に、吸収性物品の、着用者の肌に近い方を「肌面側」と称する。さらに、着用時に、吸収性物品の、着用者の肌から遠い方を「非肌面側」と称する。また、図１は、展開された吸収性物品１０を示しているが、吸収性物品１０は包装時に横方向Ｗに沿って延びる折り線で折り畳まれていても良い。このような折り線は、股下域２５を横方向Ｗに延びている。
【００１５】
本実施形態では、吸収性物品１０は、着用者に装着されたときに着用者の足を出すための足回り開口部を有する。足回り開口部の縁線３５は、吸収性物品１０が展開されているときに、横方向Ｗの両外側に位置し、前後方向Ｌに延びている。
【００１６】
吸収性物品１は、吸収体４０と表面シート５０と裏面シート６０とを有する。吸収体４０は、表面シート５０と裏面シート６０との間に設けられている。吸収体４０は、少なくとも股下域２５に設けられている。吸収体４０は、股下域２５から、前胴回り域２０及び後胴回り域３０の方へ前後方向に延びていてもよい。
【００１７】
表面シート５０は、着用者の肌に面する肌面側に設けられる。表面シート５０は、液透過性のシートによって形成される。表面シート５０は、１枚又は複数枚のシートを含んでいてよい。表面シート５０は、例えば、親水性不織布や織物、開口プラスチックフィルム、開口疎水性不織布などによって形成されていてよい。
【００１８】
裏面シート６０は、非肌面側に露出しており、液不透過性のシートから形成される。裏面シート６０は、１枚又は複数枚のシートを含んでいてよい。本実施形態では、裏面シート６０は、バック不織布６１と、液不透過性のバックフィルム６２と、を有していてよい。バックフィルム６２は、バック不織布６１よりも肌側に位置していてよい。バックフィルム６２は、例えばポリエチレンのような防水フィルムから形成することができる。
【００１９】
吸収性物品１０は、任意に不図示のセカンドシートを有していてもよい。セカンドシートは、吸収体４０と表面シート５０との間に配置される。セカンドシートは、例えば、エアースルー不織布や開孔フィルムなどから形成されていてよい。
【００２０】
吸収性物品１０は、横方向Ｗにおいて吸収体４０よりも外側に、一対のサイドフラップ７０を有している。サイドフラップ７０は、１枚の不織布、又は複数枚重ねられた不織布によって形成することができる。
【００２１】
吸収性物品１０は、足回り開口部の縁線３５に沿って延びる一対のレッグギャザー７５を有していてもよい。レッグギャザー７５は、伸縮可能に形成された領域である。レッグギャザー７５は、足回り開口部の縁線３５に沿って湾曲していてもよいが、前後方向Ｌに直線状に延びていてもよい。また、吸収性物品１０は、横方向Ｗにおいてレッグギャザー７５よりも内側に、前後方向Ｌに延びた一対のレッグサイドギャザー８０を有していてもよい。レッグサイドギャザー８０は、伸縮可能に形成された領域である。レッグギャザー７５及びレッグサイドギャザー８０は、伸縮性の不織布シートによって構成されていてよい。この代わりに、レッグギャザー７５及びレッグサイドギャザー８０は、前後方向Ｌに延びた弾性材及び当該弾性材を覆うシートによって構成されていてもよい。
【００２２】
吸収性物品１０は、少なくとも股下域２５において、前後方向Ｌに伸縮可能な伸縮性の領域（以下、「クロッチ部」と称する。）を有していてもよい。クロッチ部は、少なくとも前後方向Ｌに伸張可能な伸縮性シート２００を有する。クロッチ部を構成する伸縮性シート２００は、股下域２５で吸収体４０よりも非肌面側に設けられている。伸縮性シート２００は、股下域２５のみに配置されていてもよいが、股下域２５から前胴回り域２０及び／又は後胴回り域３０へ延びていてもよい。
【００２３】
伸縮性シート２００は、少なくとも前後方向Ｌに伸張可能である。好ましくは、伸縮性シート２００の前後方向Ｌの伸縮性は、伸縮性シート２００の横方向Ｗの伸縮性よりも大きい。より好ましくは、伸縮性シート２００は、前後方向Ｌのみに伸縮性を有している。
【００２４】
伸縮性シート２００は、コアラップ４４に直接接着されていてよい。この代わりに、伸縮性シート２００は、不図示の追加のシート材を介して間接的にコアラップ４４に接着されていてもよい。伸縮性シート２００は、自然状態で前後方向Ｌに吸収体４０を縮めるように吸収体４０に接合されていることが好ましい。すなわち、伸縮性シート２００は、前後方向Ｌに伸長された状態で、コアラップ４４や裏面シート６０等に接着される。これにより、コアラップ４４や裏面シート６０は、自然状態で前後方向に縮む。ここで、「自然状態」は、吸収性物品１０に外部からの力を加えていない状態のことを意味する。
【００２５】
吸収性物品１０は、一対のサイドフラップ７０のそれぞれに、ファスニングテープ９０を有していてよい。ファスニングテープ９０は、横方向Ｗに延びている。ファスニングテープ９０は、後胴回り域３０に設けられていてよい。吸収性物品１０が着用者に装着されたとき、ファスニングテープ９０は前胴回り域２０に止着される。これにより、ファスニングテープ９０は、吸収性物品１０を着用者の体に保持させることができる。
【００２６】
（２）吸収体の構成
吸収体４０は、吸収コア４２及びコアラップ４４を含んでいる。コアラップ４４は、吸収コア４２を包んでいる。吸収コア４２は、体液を吸収する吸収材料からなる。吸収材料としては、例えば粉砕パルプや高吸収性ポリマーを用いることができる。好ましくは、吸収コア４２は、粉砕パルプ及び高吸収性ポリマーの両方を含む。粉砕パルプは、セルロース系繊維を含むことが好ましい。
【００２７】
コアラップ４４は、薄葉紙４４ａと不織布４４ｂを有する。不織布４４ｂは、吸収コア４２を挟んで薄葉紙４４ａと反対側に設けられている。すなわち、吸収コア４２は、薄葉紙４４ａと不織布４４ｂとの間に挟まれている。薄葉紙４４ａは、吸収コア４２よりも肌面側に配置される（図２参照）。不織布４４ｂは、吸収コア４２よりも非肌面側に配置される。コアラップ４４は、実質的には、薄葉紙４４ａ及び不織布４４ｂのみからなることが好ましい。
【００２８】
図２に示す実施形態のように、吸収コア４２の端部において、不織布４４ｂの端部が肌面側に折り返されていてもよい。この場合、不織布４４ｂの折り返された端部４５は、薄葉紙４４ａ及び吸収コア４２の端部付近を覆っている。なお、前後方向Ｌ及び横方向Ｗの少なくとも一方における不織布４４ｂの端部が、薄葉紙４４ａ及び吸収コア４２の端部付近を覆うように、肌面側に折り返されていればよい。これにより、吸収コア４２のサイドの部分、すなわち前後方向Ｌ及び／又は横方向Ｗに向いた面が、不織布４４ｂによって覆われる。
【００２９】
コアラップ４４を構成する不織布４４ｂは、ＳＭＳ（スパンボンド−メルトブロン−スパンボンド）不織布であることが好ましい。不織布４４ｂは、例えば１５ｇ／ｍ２以下の重量（目付）を有していてよい。ただし、不織布４４ｂの強度を維持するという観点からは、不織布４４ｂは、例えば１０ｇ／ｍ２以上の重量を有することが好ましい。不織布４４ｂは親水性を有することが好ましい。親水性の不織布４４ｂは、疎水性の不織布の表面を親水処理することによって形成される。
【００３０】
コアラップ４４を構成する薄葉紙４４ａは、例えばティッシュシートであってよい。薄葉紙４４ａは、セルロース系繊維を含んでいることが好ましい。薄葉紙４４ａは、例えば約１６〜２０ｇ／ｍ２の重量（目付）を有していてよい。
【００３１】
コアラップ４４を構成する不織布４４ｂは、第１接着剤４７によって吸収コア４２に接着されている。第１接着剤４７及び第２接着剤４８は、例えばオレフィン系のホットメルト接着剤やゴム系のホットメルト接着剤を用いることができる。ゴム系のホットメルト接着剤は、例えば、スチレンイソブチレンブロックゴム（ＳＩＳ）又はスチレンブタジエンブロックゴム（ＳＢＳ）を用いたホットメルト接着剤であってよい。
【００３２】
図５は、不織布４４ｂを吸収コア４２に接着する第１接着剤４７の塗布パターンを示す模式的平面図である。図４は、薄葉紙４４ａを吸収コア４２に接着する第２接着剤４８の塗布パターンを示す模式的平面図である。図４及び図５に示す接着剤の塗布パターンは模式的なものであり、接着剤４７，４８の塗布パターンは必ずしも図に示すパターンに限定されるわけではない。
【００３３】
不織布４４ｂを吸収コア４２に接着する第１接着剤４７の量は、薄葉紙４４ａを吸収コア４２に接着する第２接着剤４８の量よりも多い。ここで、接着剤４７，４８の量とは、吸収コア４２の一面全体に塗布された接着剤の全重量を意味する。
【００３４】
好ましくは、第１接着剤４７の目付は第２接着剤４８の目付よりも大きい。ここで、接着剤４７，４８の目付は、吸収コア４２の最大幅と最大長さとによって構成される長方形領域内に吸収性物品の製造時に塗布された接着剤４７，４８の全重量を、当該長方形領域の面積で割った値を意味するものとする。具体的には、第１接着剤４７の目付は、５〜７ｇ／ｍ２であることが好ましい。また、第２接着剤４８の目付は、３〜５ｇ／ｍ２であることが好ましい。
【００３５】
第１接着剤４７及び第２接着剤４８は、実質的に、前後方向Ｌに連続的に延びていてよい。第１接着剤４７及び第２接着剤４８は、前後方向Ｌに沿って延びた第２接着剤４８は、横方向Ｗに複数並んでいる。互いに隣接する第２接着剤４８どうしの間には、第２接着剤４８が塗布されていない領域が、前後方向Ｌに沿って連続的に形成されている。すなわち、薄葉紙４４ａと吸収コア４２との間では、複数の第２接着剤４８が、横方向Ｗに、互いに間隔をあけて並んでいる。これにより、２接着剤４８の塗布量は比較的小さくなっている。
【００３６】
一方、第１接着剤４７は、実質的に、吸収コア４２の一面全体に塗布されていることが好ましい。ただし、第１接着剤４７の塗工時の条件に応じて、第１接着剤４７が塗布された領域中に、接着剤が付いていない領域が存在していてもよい。この場合であっても、接着剤が付いていない領域は、前後方向Ｌには連続していないことが好ましい。
【００３７】
好ましくは、第２接着剤４８の塗布面積が第１接着剤４７の塗布面積よりも小さい。一例として、第１接着剤４７の塗布面積は、吸収コア４２の一面の１００％の領域であってよい。また、第２接着剤４８の塗布面積は、吸収コア４２の一面の４８％〜８６％の領域であってよい。本明細書では、「塗工面積」は、接着剤４７，４８を吐出するノズルから吐出される接着剤の合計幅に、接着剤４７，４８を塗工する領域の長さ（例えば吸収コア４２の前後方向Ｌの長さ）を乗じた値によって定義される。ここで、複数のノズルから複数の接着剤４７，４８を吐出する場合、「接着剤の合計幅」は、複数の接着剤の幅の合計値を意味する。
【００３８】
第１接着剤４７及び第２接着剤４８は、例えばカーテン（ファイバー）塗工、スパイラル塗工、オメガ塗工などの種々の方法により塗布することができる。カーテン塗工では、一方向に広い塗工幅を有するホットメルト接着剤をノズルから吐出しつつ、被塗工物（例えば吸収コア）を、当該一方向に直交する方向に搬送する。これにより、ホットメルト接着剤が被塗工物の一面全体にほぼ均一に塗布される（図５参照）。
【００３９】
スパイラル塗工では、回転するノズルから円形にホットメルト接着剤を吐出しつつ、被塗工物（例えば吸収コア）を搬送する。これにより、被塗工物上に、ホットメルト接着剤がスパイラルパターンで塗工される（図４参照）。
【００４０】
オメガ塗工では、一方向にノズルを往復移動させながらホットメルト接着剤を吐出しつつ、被塗工物（例えば吸収コア）を、当該一方向に直交する方向に搬送する。これにより、ホットメルト接着剤が、波型に塗工される。
【００４１】
第１接着剤４７は、カーテン塗工によって塗布されることが好ましい。第２接着剤４８は、スパイラル塗工又はオメガ塗工で塗布されることが好ましい。
【００４２】
図３は、一実施形態に係る吸収体４０の平面図である。吸収体４０には、吸収体４０を厚み方向に圧縮した圧搾部４６が形成されている。圧搾部４６は、エンボス加工によって少なくとも吸収体４０を厚み方向に圧縮することによって形成される。圧搾部４６は、吸収体４０のみをエンボス加工することによって形成されていてよい。この代わりに、圧搾部４６は、吸収体４０と、表面シート５０又は裏面シート６０とを一緒にエンボス加工することによって形成されていてもよい。好ましくは、圧搾部４６は、吸収体４０の、薄葉紙４４ａ側の面に形成されている。
【００４３】
図２を参照すると、圧搾部４６は、吸収体４０の肌面側と非肌面側の両面に形成されている。吸収体の肌面側の圧搾部４６は、吸収体の非肌面側の圧搾部４６と同じ位置に形成されていてよい。薄葉紙４４ａ側の面に形成された圧搾部４６の深さＤ１は、不織布４４ｂ側の面に形成された圧搾部４６の深さＤ２よりも深いことが好ましい。図２に示す実施形態の代わりに、圧搾部４６は、吸収体４０の肌面側又は非肌面側のいずれか一方の面のみに形成されていてもよい。
【００４４】
圧搾部４６は、少なくとも吸収体４０の、股下域２５に相当する領域に形成されている。図３に示すように、圧搾部４６は、吸収体４０に全体的に形成されていてもよい。圧搾部４６は、吸収性物品の前後方向Ｌに対して傾いた方向４６ａ，４６ｂに破線状に延びている。これに代えて、圧搾部４６は、方向４６ａ，４６ｂに沿って直線状に延びていてもよい。すなわち、圧搾部４６は、方向４６ａ，４６ｂに沿って連続的に形成されていてよい。
【００４５】
本実施形態では、圧搾部４６は、前後方向Ｌ及び横方向Ｗから傾斜した複数の第１圧搾ライン４６ａと、前後方向Ｌ及び横方向Ｗから傾斜し、かつ第１圧搾ライン４６ａと交差する複数の第２圧搾ライン４６ｂと、を有する。複数の第１圧搾ライン４６ａは、互いに平行に延びていてよい。複数の第２圧搾ライン４６ｂは、互いに平行に延びていてよい。これにより、圧搾部４６は、吸収体４０に略格子状に形成される。
【００４６】
互いに隣接する第１圧搾ライン４６ａと、互いに隣接する第２圧搾ライン４６ｂとによって囲まれた非圧搾領域が形成されている。非圧搾領域は、第１圧搾ライン４６ａ及び第２圧搾ライン４６ｂにより、隣接する非圧搾領域と部分的に区画される。したがって、吸収コア４２に含まれる高吸収性ポリマーの移動範囲を適度に制限でき、高吸収性ポリマーの偏りを抑制できる。
【００４７】
実質的に格子状の圧搾部４６が股下域２５に存在するため、股下域２５での吸収体４０の形崩れを抑制することができる。また、圧搾部４６が前後方向Ｌから角度を持った方向に延びているので、圧搾部４６が吸収体形状の横方向への回復を妨げない。また、吸収体４０に横方向Ｗに力がかかったときに、当該力は圧搾ライン４６ａ，４６ｂに沿って斜め方向に緩和される。これにより、吸収体４０が横方向に潰れ易くなることを抑制できる。
【００４８】
図３に示すように、圧搾部４６は、前後方向Ｌに連続的な波状に形成されていてもよい。互いに隣接する波状の圧搾部４６どうしの間には、圧搾部４６が形成されていない細線状の領域Ｒが前後方向Ｌに沿って形成されている。この場合、第１圧搾ライン４６ａ及び第２圧搾ライン４６ｂは、破線状に延びており、互いに交差しない。これにより、圧搾部４６によって吸収体４０の剛性が高くなりすぎることを防止することができる。細線状の領域Ｒは、少なくとも股下域２５において、前後方向Ｌに沿って設けられている。細線状の領域Ｒは、前後方向Ｌに沿って吸収体４０の一端から他端まで延びていてもよい。横方向Ｗにおける細線状の領域Ｒの最狭幅は、０．３５ｍｍ以上かつ８．５ｍｍ以下であることが好ましい。圧搾部４６が形成されていない細線状の領域Ｒによって、吸収体４０が硬くなりすぎることを防止することができる。
【００４９】
圧搾部４６が形成されていない細線状の領域Ｒが前後方向Ｌに沿って連続的に設けられているため、吸収体４０には前後方向Ｌに沿って比較的剛性の高い領域が形成される。この剛性の高い領域によって、吸収体４０の横方向Ｗの変形をより抑制することができる。
【００５０】
本実施形態では、圧搾部４６は、前後方向Ｌ及び横方向Ｗから傾斜した２つの圧搾ライン４６ａ，４６ｂに沿って形成されている。しかしながら、圧搾部４６は、横方向Ｗに沿って直線状又は破線状に形成されていてもよい。ここで、直線状の圧搾部とは、細長い圧搾溝が直線的に連続して形成されていることを意味する。また、破線状の圧搾部とは、細長い圧搾溝が断続的に形成されていることを意味する。
【００５１】
（３）作用効果
一実施形態に係る吸収性物品１０は、吸収コア４２と、吸収コア４２を包むコアラップ４４と、を有する吸収体４０と、少なくとも吸収体４０が厚み方向に圧縮された圧搾部４６と、を有する。コアラップ４４は、吸収コア４２よりも肌面側に配置される薄葉紙４４ａと、吸収コア４２を挟んで薄葉紙４４ａと反対側に設けられた不織布４４ｂと、を有する。不織布４４ｂを吸収コア４２に接着する第１接着剤４７の量は、薄葉紙４４ａを吸収コア４２に接着する第２接着剤４８の量よりも多い。
【００５２】
圧搾部４６は、吸収体４０の剛性を高め、使用中の吸収体４０の形状のくずれを抑制する。特に、圧搾部４６が、複数の第１圧搾ライン４６ａと複数の第２圧搾ライン４６ｂに沿って直線状又は破線状に延びている場合、吸収体４０の形状のくずれをより抑制することができる。吸収体４０の形状のくずれをより抑制するという観点からは、圧搾部４６は、吸収体４０に全体的に形成されていることが好ましい。
【００５３】
ここで、一般に、不織布は、薄葉紙よりも柔らかい。本実施形態では、吸収コア４２よりも非肌面側のコアラップ４４を不織布４４ｂから構成することにより、吸収体４０に上記の圧搾部４６が形成されている場合であっても、吸収体４０の柔軟性を向上させることができる。
【００５４】
一方、不織布は、一般に、薄葉紙よりも吸収コアに対する親和性が低い。そのため、不織布４４ｂと吸収コア４２との接合力は、薄葉紙４４ａと吸収コア４２との接合力よりも低い。本実施形態では、不織布４４ｂを吸収コア４２に接着する第１接着剤４７の量が、薄葉紙４４ａを吸収コア４２に接着する第２接着剤４８の量よりも多くなっている。これにより、不織布４４ｂと吸収コア４２との接合力を増大させ、その結果、吸収コア４２とコアラップ４４との接合力を維持することができる。
【００５５】
上記のように、圧搾部４６によって吸収体４０の形状のくずれを抑制しつつ、コアラップ４４の材質と接着剤４７，４８の塗布量とを適宜組み合わせることにより、吸収コア４２とコアラップ４４との接合力を維持することで、長時間使用可能な吸収性物品を提供することができる。さらに、コアラップ４４の材質を適宜設定することで、吸収体の形状がくずれにくい吸収性物品であっても、吸収体４０の柔軟性を向上させることができる。これにより、長時間使用できる柔らかい吸収性物品１０を提供することができる。
【００５６】
なお、薄葉紙４４ａを吸収コア４２に接着する第２接着剤４８の量は、第１接着剤４７の量よりも少ないが、薄葉紙４４ａは吸収コア４２との接合力が比較的高いため、吸収コア４２とコアラップ４４の接合力を維持することが可能である。さらに、吸収コア４２よりも肌面側の第２接着剤４８の量が比較的少ないため、着用者からの体液を吸収コア４２まで浸透させ易いという利点がある。このような観点から、吸収コア４２よりも肌面側に配置されるコアラップ４４は、薄葉紙４４ａから形成される必要がある。
【００５７】
一実施形態によれば、第１接着剤４７の目付が第２接着剤４８の目付よりも大きい。不織布４４ｂを吸収コア４２に接着する第１接着剤４７の目付を比較的大きくすることで、吸収コア４２に対する親和性が比較的低い不織布４４ｂを、より強固に吸収コア４２に接合させることができる。
【００５８】
一実施形態によれば、第２接着剤４８の塗布面積が第１接着剤４７の塗布面積よりも小さい。吸収コア４２よりも肌面側に位置する第２接着剤４８の塗布面積を比較的小さくすることで、着用者からの体液が薄葉紙４４ａから吸収コア４２へ浸透し易くなる。特に、薄葉紙４４ａと吸収コア４２との間に、第２接着剤４８が塗工されていない領域が存在するため、体液が吸収コア４２まで浸透し易くなる。これにより、吸収体４０の吸収性の低下を抑制することができる。
【００５９】
一実施形態によれば、複数の第２接着剤４８が一方向に沿って延びており、薄葉紙４４ａと吸収コア４２との間では、複数の第２接着剤４８が、上記一方向に直交する方向に、互いに間隔をあけて並んでいる。これにより、第２接着剤４８の塗布面積を比較的小さくすることができる。具体的には、一方向に沿って延びた第２接着剤４８どうしの間に、接着剤が塗布されていない非接着領域が存在する。これにより、表面シートに付着した体液が吸収コア４２まで浸透し易くなる。
【００６０】
一実施形態によれば、不織布４４ｂは親水性を有する。一般に吸収コア４２は親水性であるため、親水性の不織布は、疎水性又は耐水性の不織布と比較して、吸収コア４２との親和性が高い。そのため、不織布４４ｂと吸収コア４２との接合力を高めることができ、吸収性物品を長時間使用できる。
【００６１】
一実施形態によれば、不織布４４ｂの端部は、肌面側に折り返されており、吸収コア４２及び薄葉紙４４ａの端部を覆っている。これにより、不織布４４ｂは、吸収コア４２の非肌面側に設けられるだけでなく、吸収コア４２のサイドの部分を覆う。吸収コア４２のサイドの部分が、比較的柔らかい不織布４４ｂから構成されるため、吸収体４０の柔軟性をより向上させることができる。
【００６２】
一実施形態によれば、圧搾部４６は、吸収体４０の、薄葉紙４４ａ側の面に形成されている。圧搾部４６は、薄葉紙４４ａと吸収コア４２とを接合する役割を担う。圧搾部４６によって、薄葉紙４４ａと吸収コア４２との接合力が高まる。これにより、吸収コア４２よりも肌面側に位置する第２接着剤４８の量を比較的小さくしても、薄葉紙４４ａと吸収コア４２との接合力を維持することができる。また、コアラップ４４の肌面側のシート、すなわち薄葉紙４４ａが、吸収コア４２から剥がれにくくなることで、液漏れ等の不具合を抑制することができる。
【００６３】
一実施形態によれば、圧搾部４６は、吸収体４０の、薄葉紙４４ａ側と不織布４４ｂ側の両面に形成されており、薄葉紙４４ａ側の面に形成された圧搾部４６の深さＤ１は、不織布４４ｂ側の面に形成された圧搾部４６の深さＤ２よりも深い。肌面側の圧搾部４６を比較的深くすることで、コアラップ４４の肌面側のシート、すなわち薄葉紙４４ａが、吸収コア４２から剥がれにくくなる。その一方で、非肌面側の圧搾部４６を比較的浅くすることで、吸収体４０が硬くなりすぎることを抑制している。これにより、吸収コア４２とコアラップ４４との接合力と吸収体４０の柔軟性とを維持することができる。
【００６４】
（４）その他の実施形態
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００６５】
例えば、上記実施形態に係る吸収性物品は、ファスニングテープ９０を有するいわゆるテープタイプの使い捨ておむつである。この代わりに、吸収性物品は、ファスニングテープ９０を有していない、いわゆるパンツタイプの使い捨ておむつであってもよい。さらに、本発明は、生理用ナプキンなどの任意の吸収性物品にも適用できる。
【符号の説明】
【００６６】
１０      吸収性物品
４０      吸収体
４２      吸収コア
４４      コアラップ
４４ａ    薄葉紙
４４ｂ    不織布
４６      圧搾部
４７      第１接着剤
４８      第２接着剤
Ｌ        前後方向
Ｗ        横方向
【図１】
2017012290.tif 000003
【図２】
2017012290.tif 000004
【図３】
2017012290.tif 000005
【図４】
2017012290.tif 000006
【図５】
2017012290.tif 000007
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
吸収コアと、前記吸収コアを包むコアラップと、を有する吸収体と、
少なくとも前記吸収体が厚み方向に圧縮された圧搾部と、を有し、
前記コアラップは、前記吸収コアよりも肌面側に配置される薄葉紙と、前記吸収コアを挟んで前記薄葉紙と反対側に設けられた不織布と、を有し、
前記不織布を前記吸収コアに接着する第１接着剤の量が、前記薄葉紙を前記吸収コアに接着する第２接着剤の量よりも多く、
前記薄葉紙の目付は、１６〜２０ｇ/ｍ２であり、
前記不織布の目付は、１０〜１５ｇ/ｍ２である、吸収性物品。
【請求項２】
前記第１接着剤の目付が前記第２接着剤の目付よりも大きい、請求項１に記載の吸収性物品。
【請求項３】
前記第２接着剤の塗布面積が、前記第１接着剤の塗布面積よりも小さい、請求項１又は２に記載の吸収性物品。
【請求項４】
複数の前記第２接着剤が一方向に沿って延びており、
前記薄葉紙と前記吸収コアとの間では、複数の前記第２接着剤が、前記一方向に直交する方向に、互いに間隔をあけて並んでいる、請求項１から３のいずれか１項に記載の吸収性物品。
【請求項５】
前記不織布は親水性を有する、請求項１から４のいずれか１項に記載の吸収性物品。
【請求項６】
前記不織布の端部は、肌面側に折り返されており、前記吸収コア及び前記薄葉紙の端部を覆っている、請求項１から５のいずれか１項に記載の吸収性物品。
【請求項７】
前記圧搾部は、前記吸収体の、前記薄葉紙側の面に形成されている、請求項１から６のいずれか１項に記載の吸収性物品。
【請求項８】
前記圧搾部は、前記吸収体の、前記薄葉紙側と前記不織布側の両面に形成されており、
前記薄葉紙側の面に形成された前記圧搾部の深さは、前記不織布側の面に形成された前記圧搾部の深さよりも深い、請求項１から７のいずれか１項に記載の吸収性物品。